(57)【要約】      （修正有）【課題】個体差があっても首回り全体の筋肉を安全に且つ強く拘束することができる四足動物用首コルセットを提供する。【解決手段】四足動物の後頭部付近から背中に至る部分を一体的に覆う首後熱可塑性樹脂板を備える首後コルセット部材１０と四足動物の下顎付近から肋骨部に至る部分を一体的に覆う首前熱可塑性樹脂板を備える首前コルセット部材２０と、首部コルセット部材と首前コルセット部材を首に装着するための脱着自在装着手段３０と、を有している。脱着自在装着手段は各コルセット部材に取り付けられた面ファスナーおよび胴ベルト３１で構成される。【選択図】図５
0003192162.tif 000002
【実用新案登録請求の範囲】
【請求項１】
四足動物の後頭部付近から背中に至る部分を一体的に覆う首後コルセット部材と、
四足動物の下顎付近から肋骨部に至る部分を一体的に覆う首前コルセット部材と、
前記首後コルセット部材及び前記首前コルセット部材を四足動物の首に脱着自在に装着する脱着自在装着手段と、を有し、
前記首後コルセット部材は四足動物の後頭部付近から背中に至る部分を一体的に覆う首後熱可塑性樹脂板を備え、前記首前コルセット部材は四足動物の前記下顎付近から前記肋骨部に至る部分を一体的に覆う首前熱可塑性樹脂板を備えることを特徴とする四足動物用首コルセット。
【請求項２】
前記首後熱可塑性樹脂板及び首前熱可塑性樹脂板は熱変形温度が４５℃〜９５℃の範囲の熱可塑性樹脂製である請求項１に記載の四足動物用首コルセット。
【請求項３】
前記首後コルセット部材は防水材料製の首後袋状部材に前記首後熱可塑性樹脂板を挿入してなり、前記首前コルセット部材は防水材料製の首前袋状部材に前記首前熱可塑性樹脂板を挿入してなる請求項１又は２に記載の四足動物用首コルセット。
【請求項４】
前記首後袋状部材及び首前袋状部材は断熱性を有する請求項３に記載の四足動物用首コルセット。
【請求項５】
前記首後袋状部材及び首前袋状部材はクッション性を有する請求項３又は４に記載の四足動物用首コルセット。
【考案の詳細な説明】
【技術分野】
【０００１】
本考案は、四足歩行を行う動物（犬、猫、馬、牛等）の頸椎用コルセットに関する。
【背景技術】
【０００２】
動物の頸椎の動きを制限したり歪を矯正したりするためのコルセットとしては、図６、７に示すようなコルセット１００が知られている（例えば、特許文献１参照。）。この従来のコルセットは、頭部付近から胴体側に至る部分をほぼ覆う細長い下部心材１０２、上部心材１０３、側部心材１０４を備え筒状にされるシート状のコルセット本体１００を有している。
【先行技術文献】
【特許文献】
【０００３】
【特許文献１】特開２００９−２８３７９号公報
【考案の概要】
【考案が解決しようとする課題】
【０００４】
上記従来のコルセットでは、金属製の下部心材１０２を下顎から肋骨部に至る形状に合うように、上部心材１０３を後頭部付近から背部に至る形状に合うように、側部心材１０４を側頭部から側部に至る形状に沿うように塑性変形させて動物に装着される。
【０００５】
金属製の心材１０２、１０３、１０４を塑性変形させて形状に沿わせているので、形状への追従性が良くない。また、下部心材１０２と側部心材１０４の間の筋肉、側部心材１０４と上部心材１０３との間の筋肉の拘束力が弱く、個体差があったり、症状によってはコルセットの機能を十分に発揮することができない。特に、環軸椎亜脱臼や頸椎椎間板ヘルにや等の疾患治療には適していない。また、金属製の心材１０２、１０３、１０４のエッジでシート状のコルセット本体１００が損傷したり、場合によっては動物の首を痛める恐れがある。
【０００６】
本考案は、上記の問題に鑑みてなされたもので、個体差があっても首回り全体の筋肉を安全に且つ強く拘束することができる四足動物用首コルセットを提供することを課題とする。
【課題を解決するための手段】
【０００７】
上記の課題を解決するためになされた本考案の四足動物用首コルセットは、四足動物の後頭部付近から背中に至る部分を一体的に覆う首後コルセット部材と、四足動物の下顎付近から肋骨部に至る部分を一体的に覆う首前コルセット部材と、前記首後コルセット部材及び前記首前コルセット部材を四足動物の首に脱着自在に装着する脱着自在装着手段と、を有し、前記首後コルセット部材は四足動物の後頭部付近から背中に至る部分を一体的に覆う首後熱可塑性樹脂板を備え、前記首前コルセット部材は四足動物の前記下顎付近から前記肋骨部に至る部分を一体的に覆う首前熱可塑性樹脂板を備えることを特徴とする。
【０００８】
首後コルセット部材の首後熱可塑性樹脂板及び首前コルセット部材の首前熱可塑性樹脂板を加熱して軟化させ、四足動物の頭部付近から胴体側に至る部分を一体的に覆うように変形させてその形状をフリーズさせることができる。したがって、個体差があっても頭部から胴体にかけての部位を安全に且つしっかり（硬く）拘束することができる。
【０００９】
上記の四足動物用首コルセットにおいて、前記首後熱可塑性樹脂板及び首前熱可塑性樹脂板は熱変形温度が４５℃〜９５℃の範囲の熱可塑性樹脂製であるとよい。
【００１０】
装着直前に熱可塑性樹脂板を加熱して熱変形性を有するようにして四足動物に装着しても、やけどをすることがない。また、熱変形温度が４５℃以上であるので、装着後に体温等で変形することがない。
【００１１】
また、前記首後コルセット部材は防水材料製の首後袋状部材に前記首後熱可塑性樹脂板を挿入してなり、前記首前コルセット部材は防水材料製の首前袋状部材に前記首前熱可塑性樹脂板を挿入してなるとよい。
【００１２】
袋状部材に温水を注入して、熱可塑性樹脂板を加熱することができる。
【００１３】
また、前記首後袋状部材及び前記首前袋状部材は断熱性を有するとよい。
【００１４】
加熱された熱可塑性樹種板の熱が動物に伝わり難くなるので、動物への装着が容易になる。
【００１５】
また、前記首後袋状部材及び前記首前袋状部材はクッション性を有するとよい。
【００１６】
熱可塑性樹脂板がフリーズして硬くなっても、四足動物に苦痛を与えない。
【考案の効果】
【００１７】
首後コルセット部材の首後熱可塑性樹脂板及び首前コルセット部材の首前熱可塑性樹脂板を加熱して軟化させ、四足動物の頭部付近から胴体側に至る部分を一体的に覆うように変形させてその形状をフリーズさせることができる。したがって、個体差があっても頭部から胴体にかけての部位を安全に且つしっかり（硬く）拘束することができる。
【図面の簡単な説明】
【００１８】
【図１】本考案の実施形態に係る四足動物用首コルセットの首後コルセット部材を表面（外面）から見た図である。
【図２】図１のＡ−Ａ線断面図である。
【図３】本考案の実施形態に係る四足動物用首コルセットの首前コルセット部材を表面（外面）から見た図である。
【図４】本考案の実施形態に係る四足動物用首コルセットの装着固定ベルト（脱着自在装着手段）を表面（内面）から見た図である。
【図５】本考案の実施形態に係る四足動物用首コルセットを犬に装着した状態を示す側方視図である。
【図６】従来の首コルセットを表面（外面）から見た図である。
【図７】従来の首コルセットを動物に装着した状態を示す図である。
【考案を実施するための形態】
【００１９】
本考案の実施形態に係る四足動物用首コルセットは、図１〜５に示すように、四足動物の後頭部付近から背中に至る部分を一体的に覆う首後コルセット部材１０、四足動物の下顎付近から肋骨部に至る部分を一体的に覆う首前コルセット部材２０及び脱着自在装着手段３０を備えている。
【００２０】
首後コルセット部材１０は、手足の指を省略した人形状の首後袋状部材１１に該人形状と相似の形状をした首後熱可塑性樹脂板１２を挿入してなる。
【００２１】
人形状の首後コルセット部材１０の頭部１０ａが四足動物の後頭部に当接し、下部１０ｂが動物の肩から背中にかけての部位に当接する。
【００２２】
首後袋状部材１１の手部と足部には脱着自在装着手段３０を構成する面ファスナー３０ａ、３０ｂが取り付けられてある。面ファスナー３０ａ、３０ｂにはループが形成されている。
【００２３】
首後袋状部材１１の足部の端部には開口部１１ａを備えている。また、首後袋状部材１１の周縁部には縁取りテープ１３が取り付けられている。
【００２４】
首後袋状部材１１は防水性のシート製で、本実施形態では厚さ１ｍｍのネオプレンゴムシートが使用された。
【００２５】
首後熱可塑性樹脂板１２の熱可塑性樹脂としては、ＪＩＳＫ７２０６で規定される熱変形温度（１８．５ｋｇ／ｃｍ２）が４５℃〜９５℃の範囲の熱可塑性樹脂がよい。熱変形温度（１８．５ｋｇ／ｃｍ２）が４５℃〜９５℃の範囲の熱可塑性樹脂としては、ポリ塩化ビニル、ポリ塩化ビニリデン、高密度ポリエチレン、ポリプロピレン、変性アクリル、酢酸セルロース、他を用いることができる。なお、本実施形態では熱可塑性樹脂板１２に厚さ３ｍｍのサーモプラスチック板（オランダ、Ｔ−Ｔａｐｅ社製）が用いられた。このサーモプラスチック板は、約７５℃で熱可塑性を示すので、取り扱いが容易である。
【００２６】
首前コルセット部材２０は、略Ｙ字状の首前袋２１に該Ｙ字状と相似の形状をした首前熱可塑性樹脂板２２を挿入してなる。
【００２７】
略Ｙ字状の首前コルセット部材２０の中央部２０ａが四足動物の顎に当接し、下部２０ｂが動物の前足の間の胸に当接する。
【００２８】
首前袋状部材２１の３つの端部には脱着自在装着手段３０を構成する面ファスナー３０ａ１、３０ｂ１が取り付けられてある。面ファスナー３０ａ１にはフックが形成され、面ファスナー、３０ｂ１にはループが形成されている。
【００２９】
首前袋状部材２１の端部には開口部２１ａを備えている。また、首前袋状部材２１の周縁部には縁取りテープ２３が取り付けられている。
【００３０】
首前袋状部材２１も厚さ１ｍｍのネオプレンゴムシート製である。首前熱可塑性樹脂板２２も厚さ３ｍｍのサーモプラスチック板（オランダ、Ｔ−Ｔａｐｅ社製）である。
【００３１】
脱着自在装着手段３０は、胴ベルト３１の中央に首後ベルト３２を連結してなる。胴ベルト３１の両端には面ファスナー３１ａ、３１ｂが取り付けられている。首後ベルト３２の端部には面ファスナー３２ａが取り付けられている。面ファスナー３１ａにはフックが形成され、面ファスナー３１ｂ、３２ａにはループが形成されている。
【００３２】
次に、本実施形態の四足動物用首コルセットを犬の首に装着する手順を説明する。先ず、首後袋状部材１１の開口部１１ａと首前袋状部材２１の開口部２１ａから約８０℃の温水を注入して首後熱可塑性樹脂板１２、首前熱可塑性樹脂板２２を加熱する。その後、首後熱可塑性樹脂板１２、首前熱可塑性樹脂板２２が可塑性を有してきたら、開口部１１ａ、２１ａから温水を排出する。その後、首後コルセット部材１０の頭部１０ａが犬の後頭部に係止されるように位置決めしてから首後を覆うように湾曲させる。同様に、首前コルセット部材２０の中央部２０ａが犬の下顎に係止されるように位置決めしてから首前を覆うように湾曲させる。
【００３３】
その後、首前コルセット部材２０の面ファスナー３０ａ１を首後コルセット部材１０の面ファスナー３０ａと連結する。同様に、首後ベルト３２の面ファスナー３２ａを首後コルセット部材２１の面ファスナー３０ｂ１に連結し、胴ベルト３１で首後コルセット部材１０と首前コルセット部材２０の端部を犬の胴に固定する。
【００３４】
装着が終了して、首後熱可塑性樹脂板１２、首前熱可塑性樹脂板２２の温度が下がると（本実施形態の場合、約４０℃以下に下がると）、犬の首（頸椎）を覆うように湾曲した首後コルセット部材１０、首前コルセット部材２０は、その形状がフリーズされる。したがって、個体差があっても首回り全体の筋肉を安全に且つ強く拘束することができる。
【００３５】
犬種によって、四足動物用首コルセットのサイズや形状が異なるが、犬種毎に設計製作すればよい。犬種が同じでもサイズが異なるが、Ｓサイズ、Ｍサイズ、Ｌサイズを用意すればよい。
【００３６】
首後袋状部材１１と首前袋状部材２１を防水性のシート単体で作ると、首が蒸れる恐れがある。防水性シートの外側に通気性素材（例えば、起毛された不織布）を重ねれば、蒸れたりすることが抑制される。
【符号の説明】
【００３７】
１０・・・・・・首後コルセット部材
１１・・・・・首後袋状部材
１２・・・・・首後熱可塑性樹脂板
２０・・・・・・首前コルセット部材
２１・・・・・首前袋状部材
２２・・・・・首前熱可塑性樹脂板
３０・・・・・・脱着自在装着手段
【図１】
0003192162.tif 000003
【図２】
0003192162.tif 000004
【図３】
0003192162.tif 000005
【図４】
0003192162.tif 000006
【図５】
0003192162.tif 000007
【図６】
0003192162.tif 000008
【図７】
0003192162.tif 000009